(57)【要約】【課題】基板ケースに穴が開いたことを検知することにより、不正なＲＯＭ交換を発見できる遊技機を提供する。【解決手段】基板ケース120は、メイン制御基板110が固定されるベース部材130と、ベース部材130に固定されたメイン制御基板110を覆うカバー部材140とを備える。ベース部材130及びカバー部材140には導線150（ベース導線151、カバー導線152）が埋め込まれている。メイン制御基板110は、導線150に電流を流して電圧を測定する測定回路を備えている。メイン制御基板110は、測定回路の測定した電圧が所定の範囲から外れる場合に、導線150が切断された後に修復されたと判断する。【選択図】図６
2012254156.tif 000002
【特許請求の範囲】
【請求項１】
基板ケースに収納された制御基板を備えた遊技機であって、
前記基板ケースには導線が設けられ、
前記制御基板には、前記導線に電流を流して電圧を測定する測定回路が設けられ、
前記制御基板は、前記測定回路の測定した電圧が所定の範囲から外れる場合に、前記導線が切断された後に修復されたと判断することを特徴とする遊技機。
【請求項２】
前記基板ケースには、電気伝導性を有する封印シールが貼り付けられ、
前記封印シールは前記導線に接続されたことを特徴とする請求項１記載の遊技機。
【請求項３】
前記封印シールには、抵抗率を変化させる抵抗率変化手段が施されることを特徴とする請求項１または２記載の遊技機。
【発明の詳細な説明】
【技術分野】
【０００１】
本発明は、基板ケースに収納された制御基板を備えた遊技機に関する。
【背景技術】
【０００２】
スロットマシンやパチンコ機等の遊技機には、遊技に関する抽選を行う制御基板（メイン制御基板）が設けられており、このメイン制御基板には、遊技に関する制御プログラムを記憶するＲＯＭや、ＲＯＭに記憶された制御プログラムを実行するＣＰＵが設けられている。役の当選確率はこの制御プログラムに左右されることから、制御プログラムを改変した不正なＲＯＭに交換する不正行為が行われることがあった。
この不正なＲＯＭ交換からメイン制御基板を守るために、メイン制御基板を基板ケースに収納するとともに、基板ケースに封印シールを貼り付けていた。これにより、不正なＲＯＭ交換を行う際に基板ケースが開かれた場合に、封印シールが破れて開封の痕跡が残るようにしていた。
【０００３】
しかし、封印シールが破れないように剥がされ、不正なＲＯＭ交換の後に再び貼り付けられることがあった。また、不正に複製された偽物の封印シールや、盗難された本物の封印シールが貼り付けられることもあった。そのため、不正なＲＯＭ交換が行われても、遊技場がそれに気付かず、大きな被害を被ることがあった。
そこで、基板ケースをかしめるキーを設けて、基板ケースが開かれる際にはキーが破壊されるとともにキーの破片が基板ケース内に残される技術が公開されている（特許文献１参照）。これにより、基板ケースが開かれた際にその痕跡が基板ケース内に残るため、不正なＲＯＭ交換が行われたことを発見することができる。
【先行技術文献】
【特許文献】
【０００４】
【特許文献１】特開２００８−９３４６２号公報
【発明の概要】
【発明が解決しようとする課題】
【０００５】
ところが、基板ケースを開かずに基板ケースに穴を開け、その穴から正規なＲＯＭを不正なＲＯＭに取り替えることがあった。このように不正なＲＯＭ交換が行われた場合には、キーが破壊されないため、遊技場が気付くのに遅れることがあった。
そこで、本発明は、基板ケースに穴が開いたことを検知することにより、不正なＲＯＭ交換を発見できる遊技機を提供することを課題とする。
【課題を解決するための手段】
【０００６】
（１）第１の発明
前記課題を解決するために、本発明のうち第１の発明は、
基板ケース(120)に収納された制御基板(110)を備えた遊技機(S)であって、
前記基板ケース(120)には導線(150)が設けられ、
前記制御基板(110)には、前記導線(150)に電流を流して電圧を測定する測定回路が設けられ、
前記制御基板(110)は、前記測定回路の測定した電圧が所定の範囲から外れる場合に、前記導線(150)が切断された後に修復されたと判断することを特徴とする。
【０００７】
（２）第２の発明
前記課題を解決するために、本発明のうち第２の発明は、前記第１の発明の特徴に加え、
前記基板ケース(120)には、電気伝導性を有する封印シールが貼り付けられ、
前記封印シールは前記導線(150)に接続されたことを特徴とする。
（３）第３の発明
前記課題を解決するために、本発明のうち第３の発明は、前記第２の発明の特徴に加え、
前記封印シールには、抵抗率を変化させる抵抗率変化手段が施されることを特徴とする。
【発明の効果】
【０００８】
（第１の発明）
本発明のうち第１の発明によると、以下に記す効果を相する。
すなわち、基板ケースに穴が開けられて導線が切断されたが、導線が修復されて再び通電するようになった場合に、導線の抵抗値が切断前とは異なる。したがって、導線が修復された場合に、測定回路の測定する電圧が切断前と異なってくる。そして、測定回路の測定した電圧が所定の範囲から外れる場合に、導線が切断された後に修復されたと判断することができる。
これにより、基板ケースに穴が開けられ正規なＲＯＭが不正なＲＯＭに交換された場合に、穴が開ける際に切断された導線が修復されたとしても、基板ケースに穴が開けられたことを検知することができる。この検知を受けて、表示装置等によってエラー報知を行ったり、遊技を開始できなくしたりすることにより、不正なＲＯＭ交換を遊技が行われる前に発見することができる。
【０００９】
（第２の発明）
本発明のうち第２の発明によると、上記第１の発明の効果に加え、以下に記す効果を奏する。
すなわち、本物の封印シールと偽物の封印シールとでは、外観が似ていても抵抗値が異なる。したがって、封印シールが剥がされて、不正に複製された偽物の封印シールが貼り付けられた場合に、測定回路の測定する電圧が本物の封印シールとは異なってくる。
これにより、基板ケースが開かれて不正なＲＯＭ交換が行われ、偽物の封印シールに貼り替えられた場合に、これを検知することができる。この検知を受けて、表示装置等によってエラー報知を行ったり、遊技を開始できなくしたりすることにより、不正なＲＯＭ交換を遊技が行われる前に発見することができる。
【００１０】
（第３の発明）
本発明のうち第３の発明によると、上記第２の発明の効果に加え、以下に記す効果を奏する。
すなわち、封印シールに抵抗率変化手段を施すことにより、封印シールの抵抗率を遊技機に応じて異ならせることができる。これにより、基板ケースが開かれて不正なＲＯＭ交換が行われ、盗難された本物の封印シールに貼り替えられた場合に、これを検知することができる。この検知を受けて、表示装置等によってエラー報知を行ったり、遊技を開始できなくしたりすることにより、不正なＲＯＭ交換を遊技が行われる前に発見することができる。
【図面の簡単な説明】
【００１１】
【図１】スロットマシンの外観構造を示す正面図である。
【図２】スロットマシンの内部構造を示す正面図である。
【図３】メイン制御基板ユニットを示す分解斜視図である。
【図４】カバー部材の一例を示す斜視図である。
【図５】カバー部材の一例を示す斜視図である。
【図６】測定回路の構成を示す説明図である。
【発明を実施するための形態】
【００１２】
本発明を実施するための形態を、図面を参照しつつ説明する。
なお、「正面」とは、スロットマシンSにおける、遊技者が遊技を行う際に向き合う面をいう。また、「右側」とは、スロットマシンSの正面に向き合う遊技者から見て右側を意味し、「左側」とは、スロットマシンSの正面に向き合う遊技者から見て左側を意味する。
（スロットマシンS）
本実施の形態に係るスロットマシンSは、遊技媒体としてメダルを用いて遊技が行われる。
【００１３】
スロットマシンSは、図２に示すように、正面側に開口する正面開口部11を有する箱形の筐体1を備えている。また、筐体1の正面には、筐体1の正面開口部11を開閉可能に閉塞する前扉3が設けられている。
（筐体1）
筐体1は、図２に示すように、底板15、左右の側板である左側板16Bと右側板16A、天板17及び背板18からなる正面側に開口する箱形に形成されている。また、筐体1における高さ方向略中央の位置には、中板12が略水平に設けられている。
底板15の上面には、各部品に電力を供給するための電源装置を内蔵した電源ユニット4が固定されている。また、電源ユニット4の前面には、電源のオン／オフの切り替えを行うための電源スイッチ、設定変更のオン／オフの切り替えを行うための設定キースイッチ、設定値を変更するための設定変更スイッチ、エラーを解除するためのリセットスイッチ等が設けられている。
【００１４】
また、底板15の上面には、メダルを払い出すためのホッパー5が設置されている。ホッパー5は、複数のメダルを貯留可能なタンクと、タンク内のメダルを１枚ずつ送り出す送出装置とを備えている。
背板18の上部には、メイン制御基板ユニット100が設けられている。メイン制御基板ユニット100は、ＣＰＵ、ＲＯＭ、ＲＡＭ、Ｉ／Ｏ等の電子部品を備えたメイン制御基板110を、基板ケース120に収納したものである。そして、メイン制御基板110は、スロットマシンSの遊技の進行や役の抽選などを制御する。
中板12には、リールユニット22が設けられている。リールユニット22は、回転リール23と、回転リール23を回転駆動するステッピングモータとを、それぞれ３個ずつ備えている。各回転リール23は、合成樹脂からなる回転ドラムと、回転ドラムの周囲に貼付されるテープ状のリールテープとを備えている。このリールテープの外周面には、複数個（例えば２１個）の図柄が表示されている。
【００１５】
（前扉3）
前扉3は、筐体1の正面開口部11を開閉可能に閉塞するための扉である。前扉3は、筐体1の左側板16Bに蝶番によって回動自在に取り付けられている。
図１に示すように、前扉3における略中央の位置には、各回転リール23の図柄を正面側から見ることができる図柄表示窓31が備えられている。図柄表示窓31は、各回転リール23の図柄を３個ずつ表示可能となるように形成されている。
前扉3における図柄表示窓31の左側の位置には、ベット数を表示するベット数表示部37が設けられている。また、前扉3における図柄表示窓31の下方の位置には、クレジット数を表示するクレジット数表示部36が設けられている。
【００１６】
前扉3の上部には、液晶ディスプレイやＣＲＴ等の画像表示装置34が設けられている。画像表示装置34は、各当選役の図柄配列や遊技履歴等の情報の画像や、遊技の状態や当選役の抽選結果を報知する画像等を表示する。前扉3における画像表示装置34の周囲には、ランプ33が設けられている。ランプ33は、様々な点滅パターンで点滅することにより、遊技を盛り上げることができる。
前扉3における高さ方向略中央の位置には、クレジットされたメダルを減じてメダルの投入に代えるためのベットスイッチ51、クレジットされたメダルを払い出すための精算スイッチ52、ゲームを開始させるためのスタートスイッチ53、回転リール23の回転を停止させるためのストップスイッチ54、及び、メダルを１枚ずつ投入するためのメダル投入口42が設けられている。
【００１７】
前扉3の下部には、スロットマシンS内からメダルを排出するためのメダル払出口41と、メダル払出口41から排出されたメダルを溜めておくための受け皿43とが形成されている。
図２に示すように、前扉3の裏面における高さ方向略中央の位置には、メダル投入口42から投入されたメダルを誘導しつつメダルの真贋を選別するためのメダルセレクター6が設けられている。また、前扉3の裏面には、メダルセレクター6の下方に開口し、メダル払出口41に連通するメダル排出部44が設けられている。また、前扉3の裏面上部及び下部には、種々のサウンドを出力するためのスピーカ35が２つずつ設けられている。
前扉3の裏面上部には、サブ制御基板ユニット200が設けられている。サブ制御基板ユニット200は、ＣＰＵ、ＲＯＭ、ＲＡＭ、Ｉ／Ｏ等の電子部品を備えたサブ制御基板を、基板ケースに収納したものである。サブ制御基板は、スピーカ35の音声出力やランプ33の点灯などの演出を制御する。そして、前述のメイン制御基板110とサブ制御基板とは、ワイヤーハーネス（図示せず）によって接続されている。
【００１８】
（メイン制御基板ユニット100）
図３に示すように、メイン制御基板ユニット100は、複数の電子部品が実装されるとともに電子部品間が配線されたメイン制御基板110と、メイン制御基板110を収納する基板ケース120とを備えている。
特に図示しないが、メイン制御基板110は、プリント配線が施されたプリント配線基板が用いられている。また、メイン制御基板110には、プログラムを読み込んで実行するＣＰＵ、プログラムを記憶するＲＯＭ、データを一時的に記憶するＲＡＭ等の電子部品が実装されている。
【００１９】
基板ケース120は、メイン制御基板110が固定されるベース部材130と、ベース部材130に固定されたメイン制御基板110を覆うカバー部材140とを備えている。
メイン制御基板110は、その表面（電子部品の実装された面）がカバー部材140の内面と対向するようにベース部材130に固定されている。そして、メイン制御基板ユニット100は、ベース部材130が奥側に位置し、カバー部材140が正面側に位置するように、筐体１の背板18に取り付けられている。したがって、メイン制御基板ユニット100は、メイン制御基板110の表面が正面側を向くように背板18に固定されている。
ベース部材130は、略矩形の平板状のベース奥板部131と、ベース奥板部131の外縁から手前方向へ略垂直に突出した枠状のベース枠板部132とを備えている。ベース奥板部131及びベース枠板部132は、透明な合成樹脂により一体に形成されている。
【００２０】
カバー部材140は、略矩形の平板状のカバー前板部141と、カバー前板部141の外縁から奥方向へ略垂直に突出した枠状のカバー枠板部142とを備えている。カバー前板部141及びカバー枠板部142は、透明な合成樹脂により一体に形成されている。
そして、ベース部材130にカバー部材140を被せると、ベース枠板部132の外周面とカバー枠板部142の内周面とが接するように形成されている。
図４に示すように、カバー部材140には、導線150が埋め込まれている。この導線150（以下「カバー導線152」という。）は、カバー前板部141やカバー枠板部142の短手方向にうねる波状に埋設されている。なお、図面では、導線150の一部の図示を省略している。
【００２１】
特に図示しないが、ベース部材130には、カバー部材140と同様に導線150が埋め込まれている。この導線150（以下「ベース導線151」という。）は、ベース奥板部131やベース枠板部132の短手方向にうねる波状に埋設されている。
なお、本実施の形態では、導線150は、基板ケース120の一面に対して短手方向に起伏する波状に形成したが、長手方向にうねる波状に形成してもよい。
または、図５に示すように、導線150は、基板ケース120の一面に対して斜め方向に起伏する波状に形成してもよい（図面では、導線150の一部の図示を省略している。）。
また、本実施の形態では、基板ケース120に導線150を埋め込んでいるが、基板ケース120の内周面に導線150を張り巡らせてもよい。
【００２２】
図３に示すように、ベース奥板部131の正面には、メイン制御基板110の位置決め及び固定のためのボス133が４つ設けられている。具体的には、メイン制御基板110のボス穴111にこのボス133を挿嵌させて、ネジ等でボス133にメイン制御基板100を固定している。
ベース奥板部131に設けられた４つのボス133のうちの１つには、ベース導線151の端部が配線されている。このボス133を以下「第１接続ボス134」という。第１接続ボス134には、端子（以下「第１接続ボス端子135」という。）が設けられている。また、第１接続ボス134が挿嵌されるボス穴111の周囲にも、端子（以下「第１ボス穴端子112」という。）が設けられており、この第１ボス穴端子112にはメイン制御基板110のプリント配線が接続されている。そして、第１接続ボス端子135と第１ボス穴端子112とが接触しており、ベース部材130のベース導線151とメイン制御基板110のプリント配線とが接続されている。
【００２３】
ベース枠板部132には、端子（以下「ベース側端子136」という。）が設けられている。このベース側端子136には、ベース導線151の他端が接続されている。また、ベース側端子136は、ベース枠板部132の外周面側に露出している。
カバー前板部141の内面におけるボス穴111に対応する位置には、第２接続ボス143が設けられている。この第２接続ボス143には、カバー導線152の一端が配線されている（図４参照）。また、第２接続ボス143には、端子（以下「第２接続ボス端子144」という。）が設けられている。第２接続ボス143に対応するボス穴111の周囲にも、端子（以下「第２ボス穴端子113」という。）が設けられており、この第２ボス穴端子113にはメイン制御基板110のプリント配線が接続されている。そして、第２接続ボス端子144と第２ボス穴端子113とが接触しており、カバー部材140のカバー導線152とメイン制御基板110のプリント配線とが接続されている。
【００２４】
カバー枠板部142におけるベース側端子136に対向する位置には、端子（以下「カバー側端子145」という。）が設けられている。このカバー側端子145には、カバー導線152の他端が接続されている（図４参照）。また、カバー側端子145は、カバー枠板部142の内周面側に露出しており、ベース側端子136に接触するようになっている。つまり、カバー導線152とベース導線151とが接続されている。
図６に示すように、メイン制御基板110には、導線150に電流を流して電圧を測定する測定回路が設けられている。
具体的には、メイン制御基板110には、抵抗器、増幅器、Ａ／Ｄ変換器、ＣＰＵ及びＲＯＭが設けられている。ＣＰＵは、増幅器及びＡ／Ｄ変換器を介して電圧値を取り込む。また、ＲＯＭには、所定の範囲の電圧値（以下「基準電圧範囲」という。）が予め記憶されている。この基準電圧範囲は、正常時に測定される電圧に基づいて定めたものである。
【００２５】
ＣＰＵは、スロットマシンSの電源がオフからオンとなったことを契機に、電圧値を取り込むとともに、この電圧値をＲＯＭの基準電圧範囲と比較する。
ここで、基板ケース120に穴が開けられて導線150が切断されたが、導線150が修復されて再び通電するようになった場合に、導線150の抵抗値が切断前とは異なる。したがって、導線150が修復されて再び通電するようになった場合に、ＣＰＵの取り込む電圧値は、基準電圧範囲から外れた値となる。そして、電圧値が基準電圧範囲から外れる場合に、導線150が切断された後に修復されたと判断することができる。
これにより、基板ケース120に穴が開けられ正規なＲＯＭが不正なＲＯＭに交換された場合に、穴が開ける際に切断された導線150が修復されたとしても、基板ケース120に穴が開けられたことを検知することができる。
【００２６】
この検知を受けて、表示装置等によってエラー報知を行ったり、遊技を開始できなくしたりすることにより、不正なＲＯＭ交換を遊技が行われる前に発見することができる。
また、メイン制御基板110の基板ケース120への固定が不適切であるために、第１接続ボス端子135と第１ボス穴端子112とが離れている、及び／又は、第２接続ボス端子144と第２ボス穴端子113とが離れている場合も、ＣＰＵの取り込む電圧値は、基準電圧範囲から外れた値となる。これにより、ネジの止め忘れや基板ケースの種類間違い等により、メイン制御基板110の基板ケース120への固定が不適切であることも検知することが可能である。
【００２７】
以上のように、メイン制御基板110の基板ケース120について説明したが、本発明は、サブ制御基板などの基板ケースにも適用可能である。
なお、基板ケース120には、電気伝導性を有する封印シールが貼り付けられ、この封印シールと基板ケース120の導線150とを接続する接点を設けてもよい。また、封印シールは、ＩＣタグを備えていてもよい。
ここで、本物の封印シールと偽物の封印シールとでは、外観が似ていても抵抗値が異なる。したがって、封印シールが剥がされて、不正に複製された偽物の封印シールが基板ケース120に貼り付けられた場合に、ＣＰＵの取り込む電圧値は、基準電圧範囲から外れた値となる。
【００２８】
これにより、基板ケース120が開かれて不正なＲＯＭ交換が行われ、偽物の封印シールに貼り替えられた場合に、これを検知することができる。
また、封印シールには、抵抗率を変化させる抵抗率変化手段が施されてもよい。具体的には、例えば、封印シールに金属粉末を付着させることにより、封印シールの抵抗率を変化させる。この金属粉末は、スロットマシンの製造時期や設置場所などに応じて成分の異なるものを付着させる。これにより、基板ケース120が開かれて不正なＲＯＭ交換が行われ、盗難された本物の封印シールに貼り替えられた場合に、これを検知することができる。
【００２９】
なお、本発明は、上述した実施の形態に限定されるものではなく、本発明の目的を達成できる範囲における変形や改良も含むものである。
【符号の説明】
【００３０】
100  メイン制御基板ユニット          110  メイン制御基板
111  ボス穴                          112  第１ボス穴端子
113  第２ボス穴端子                  120  基板ケース
130  ベース部材                      131  ベース奥板部
132  ベース枠板部                    133  ボス
134  第１接続ボス                    135  第１接続ボス端子
136  ベース側端子
140  カバー部材                      141  カバー前板部
142  カバー枠板部                    143  第２接続ボス
144  第２接続ボス端子                145  カバー側端子
150  導線                            151  ベース導線
152  カバー導線
【図１】
2012254156.tif 000003
【図２】
2012254156.tif 000004
【図３】
2012254156.tif 000005
【図４】
2012254156.tif 000006
【図５】
2012254156.tif 000007
【図６】
2012254156.tif 000008